(57)【特許請求の範囲】
【請求項１】
入力画像を入力する画像入力部と、
前記入力画像のコンテンツの分類を決定するコンテンツ分類部と、
コンテンツの分類毎に、画像の印象を表す形容詞または形容動詞である感覚的な言葉に対応づけられた調整項目を記憶するデータベースと、
前記コンテンツ分類部により決定された前記コンテンツの分類に対応する調整項目を表示する調整項目表示部と、
前記調整項目表示部に表示された調整項目に対してユーザから設定値の入力を受け付ける受付部と、
前記ユーザから入力された設定値に応じて、色空間の画質パラメータを算出する画質パラメータ算出部と、
前記画質パラメータ算出部により算出された画質パラメータに従って前記入力画像に対し画像処理を行う画像処理部と、
前記画像処理後の画像を表示する画像表示部と、を備え、
前記コンテンツの分類毎に、各々の前記調整項目に優先順位が設定されており、
前記画像表示部は、前記決定されたコンテンツの分類に対応する調整項目のうち優先順位の高いものを優先的に表示する
画像表示装置。
【請求項２】
前記データベースは、前記コンテンツの分類毎に、前記調整項目と、前記調整項目の設定値とを記憶し、
前記調整項目表示部は、前記調整項目と、前記調整項目の設定値とを表示し、
前記受付部は、前記調整項目の前記設定値を前記入力された設定値に変更する、
ことを特徴とする請求項１に記載の画像表示装置。
【請求項３】
前記コンテンツ分類部は、文字多重放送で伝送される番組目次情報、デ−タ放送で伝送される番組情報、デジタル放送あるいはインターネットにより伝送されるＥＰＧ(Electronic Program Guide)情報のいずれか１つ、もしくはこれらの組み合せを取得し、取得した情報から、前記コンテンツの分類として、前記コンテンツに関連する画像ジャンルを検出することを特徴とする請求項１または２に記載の画像表示装置。
【請求項４】
前記コンテンツ分類部は、前記入力画像の画像ファイル情報を取得し、取得した画像ファイル情報の記述に基づき前記コンテンツの分類を決定することを特徴とする請求項１または２に記載の画像表示装置。
【請求項５】
前記コンテンツ分類部は、前記コンテンツが視聴されている時間帯またはエリアに基づいて前記コンテンツの分類を決定することを特徴とする請求項１または２に記載の画像表示装置。
【請求項６】
周囲の照明を測定するセンサを用いて照明情報を測定する照明情報測定部を備え、
前記コンテンツ分類部は、前記照明情報に基づいて前記コンテンツの分類を決定することを特徴とする請求項１または２に記載の画像表示装置。
【請求項７】
前記コンテンツ分類部は、前記入力画像を解析して、前記入力画像の画像信号に基づいた画像解析情報を検出し、検出した画像解析情報をもとに前記入力画像のコンテンツの分類を決定することを特徴とする請求項１または２に記載の画像表示装置。
【請求項８】
前記画像解析情報は、画像信号のヒストグラム、平均値、標準偏差、および色温度の少なくともいずれか１つを含むことを特徴とする請求項１または２に記載の画像表示装置。
【請求項９】
周囲の照明を測定するセンサを用いて照明情報を測定する照明情報測定部を備え、
前記画像表示部は、前記照明情報に基づき、前記決定されたコンテンツの分類に対応する調整項目のうち表示すべき前記調整項目を選択することを特徴とする請求項１ないし８のいずれか一項に記載の画像表示装置。
【請求項１０】
前記調整項目表示部は、前記設定値の推奨設定範囲を表示することを特徴とする請求項１ないし９のいずれか一項に記載の画像表示装置。
【請求項１１】
入力画像を入力する画像入力ステップと、
前記入力画像のコンテンツの分類を決定するコンテンツ分類ステップと、
コンテンツの分類毎に、画像の印象を表す形容詞または形容動詞である感覚的な言葉に対応付けられた調整項目を記憶するデータベースを準備するステップと、
前記コンテンツ分類ステップで決定された前記コンテンツの分類に対応する調整項目を表示する調整項目表示ステップと、
前記調整項目表示ステップで表示された調整項目に対してユーザから設定値の入力を受け付ける受付ステップと、
前記ユーザから入力された設定値に応じて、色空間の画質パラメータを算出する画質パラメータ算出ステップと、
前記画質パラメータ算出ステップで算出された画質パラメータに従って前記入力画像に対し画像処理を行う画像処理ステップと、
前記画像処理後の画像を表示する画像表示ステップと、
を備え、
前記コンテンツの分類毎に、各々の前記調整項目に優先順位が設定されており、
前記画像表示ステップは、前記決定されたコンテンツの分類に対応する調整項目のうち優先順位の高いものを優先的に表示する
画像表示方法。
【発明の詳細な説明】
【技術分野】
【０００１】
本発明は、コンテンツにより好適な画質を提供する画像表示装置および画像表示方法に関する。
【背景技術】
【０００２】
テレビなどの画像表示装置では、視聴者が自分の好みに合わせて画質を調整することが可能である。プリセット機能として予めメーカー側が用意したモードの切り替えか、明るさ・色合い・鮮やかさといった、色空間の三属性やコントラストといった調整項目の設定数値を増減することで、視聴者が調整していることが一般的である。
【０００３】
近年、コンテンツや情報の増加に伴い、テレビでは様々なコンテンツが放送されるようになった。また、ライフスタイルの多様化に伴い、その視聴環境も様々になっている。さらに、画像表示装置の発展もあり、携帯電話でワンセグ放送を視聴も可能になり、また、自分で撮影した静止画像が記録されたメモリーカードを挿入することによって画像がスライドショーとして表示できる“デジタル写真立て”のようなものも普及し始めている。
【０００４】
このようなコンテンツや視聴環境により好適な画質があるが、コンテンツが切り替わるたびに視聴者が画質を調整するのは煩雑であるため、頻繁に変更することは少ない。
【０００５】
そこで、コンテンツのジャンルや視聴環境を自動的に検出して、複数種類の画像処理モードから検出状況に最適なモードを選択して画質改善の信号処理を行うことが提示されている（特許文献1）。
【０００６】
また、視聴者の好みを反映させる手段として、視聴者自身がモードを自分で設定することも提示されている。これは、視聴者がキーワードと画質あるいは音質を調整するための調整用パラメータとを関連付けて記憶させ、モードとして登録しておく。コンテンツ情報とこのキーワードが一致した場合に、登録された調整用パラメータを使用して画質や音質を調整することになっている（特許文献２）
【特許文献１】特開平10-108086号公報
【特許文献２】特開2005-94072号公報
【発明の開示】
【発明が解決しようとする課題】
【０００７】
上述した特許文献１に開示されている装置では、視聴者が設定できる調整項目が少なく、視聴者の好みの反映が十分でない。
【０００８】
また、一般的な視聴者には、調整項目の設定値の増減と実際の画像の変化の感覚がつかみにくい。よって、特許文献２の画質の調整では、何をどの程度変えればよいのかわからないので、画質を調整しづらく、結局として、調整項目を変えない人が多いため、実際には視聴者の好みが反映されることは少なくなってしまう。
【０００９】
本発明は、上記事情を考慮してなされたものであって、視聴者がコンテンツごとに好みの画質を簡単に設定でき、好適な画質で画像を視聴できる画像表示装置および画像表示方法を提供することを目的とする。
【課題を解決するための手段】
【００１０】
本発明の一態様としての画像表示装置は、
入力画像を入力する画像入力部と、
前記入力画像のコンテンツの分類を決定するコンテンツ分類部と、
コンテンツの分類毎に、画像の印象を表す感覚的な言葉に対応づけられた調整項目を記憶するデータベースと、
決定された前記コンテンツの分類に対応する調整項目を表示する調整項目表示部と、
表示された調整項目に対してユーザから設定値の入力を受け付ける受付部と、
前記表示された調整項目に対する設定値に応じて画質パラメータを算出する画質パラメータ算出部と、
算出された画質パラメータに従って前記入力画像に対し画像処理を行う画像処理部と、
前記画像処理後の画像を表示する画像表示部と、
を備える。
【００１１】
本発明の一態様としての画像表示方法は、
入力画像を入力する画像入力ステップと、
前記入力画像のコンテンツの分類を決定するコンテンツ分類ステップと、
コンテンツの分類毎に、画像の印象を表す感覚的な言葉に対応付けられた調整項目を記憶するデータベースを準備するステップと、
決定された前記コンテンツの分類に対応する調整項目を表示する調整項目表示ステップと、
表示された調整項目に対してユーザから設定値の入力を受け付ける受付ステップと、
前記表示された調整項目に対する設定値に応じて画質パラメータを算出する画質パラメータ算出ステップと、
算出された画質パラメータに従って前記入力画像に対し画像処理を行う画像処理ステップと、
前記画像処理後の画像を表示する画像表示ステップと、
を備える。
【発明の効果】
【００１２】
本発明によれば、視聴者が直感的で容易に画質を設定することができるため、視聴者がコンテンツごとに好適な画質で画像を視聴できるようになる。
【発明を実施するための最良の形態】
【００１３】
本発明の実施形態を以下に図面を参照して説明する。
【００１４】
（第１実施形態）
本発明の第１実施形態による画像表示装置は、放送信号を受信するテレビあるいは、ワンセグ受信機能のついた携帯電話に組み込まれるものとして提供される。
【００１５】
図1に、本実施形態に係る画像表示装置のブロック構成図を示す。図中の１は入力部、２はコンテンツ分類部、３はデータベース、４は調整項目決定部、５は調整項目表示部、６は設定値読込部、７は画質パラメータ決定部、８は画像処理部、９は画像表示部である。
【００１６】
入力部１は画像の入力を受ける。入力される画像がテレビ放送の映像である場合、入力部１は、チューナーとしての機能および映像信号復号等の処理も行う。
【００１７】
コンテンツ分類部２は、入力画像のコンテンツの分類を行う。このコンテンツ分類は、文字多重放送で伝送される番組目次情報、デ−タ放送で伝送される番組情報、デジタル放送あるいはインターネットにより伝送されるＥＰＧ(Electronic Program Guide)デ−タのいずれか１つ、もしくはこれらの組み合せにより行われる。これらの情報は入力部１を介してあらかじめ取得しているものとする。
【００１８】
ＥＰＧには、ジャンル情報、さらにはサブジャンル情報がコードで記載されている。サブジャンル情報が記載されている場合にはこのコードをコンテンツ分類とする。ジャンル情報が複数ある場合は番組目次情報、あるいは番組情報から、キーワードを抽出あるいは文脈判断し、どの分類に属するかを決定することも可能である。また、ドラマやスポーツなど、大きなくくりのジャンル情報しかない場合にも、ジャンル情報が複数ある場合と同様にして、どの分類に属するかを決定する。
【００１９】
データベース３は、コンテンツの分類と、画像の印象を表す感覚的な言葉に対応して設けられた調整項目およびその値と、画質パラメータ等との対応関係を保持している。より詳細に、データベース３は、図２の画質パラメータテーブル３−１、図３の初期値テーブル３−２、図４の設定値テーブル３−３、図５の優先順位テーブル３−４からなっている。
【００２０】
コンテンツ分類としては、「ドラマ」や「映画」、「スポーツ」などの大まかな分類から、「恋愛ドラマ」、「ホラー映画」、「サッカー」などの詳細な分類もあるが、ここでは後者の詳細な分類であるとして説明する。
【００２１】
調整項目は、画像の印象を感覚的な言葉（感性やイメージを表している言葉）で表したものである。色彩にはイメージがあり、古くから色彩心理として研究されている。例えば、赤や橙などの“暖色系”の色は暖かい印象を与えると言われ、逆に、青や紫などは“寒色系”の色は冷たい印象を与えるとされる。この他にも、明るく彩度が低い色は、軽い印象を与えるとされる。これらの感覚には、個人差があるものの、文化や人種ではほぼ共通する感覚と認められている。また、これらの感覚の言葉は、形容詞または形容動詞のような単語で、反対語と対になっていることが多い。例えば、重い−軽い、地味−派手、にぎやかな−穏やかな、くどい−あっさりした等、さまざまである。本実施形態は、これらの感覚的な言葉を調整項目としたことを大きな特徴の１つとしている。
【００２２】
図２の画質パラメータテーブル３−１は、感覚的な言葉に対応する画質パラメータを設定したものである。上述したように、色にはイメージがあり、これが感覚的な言葉につながる。そこでイメージを示す信号やパラメータを画質パラメータとして設定しておく。画質パラメータの一例としては、色空間の三属性である、明るさ＝明度、鮮やかさ＝彩度、色み＝色相があげられるが、単純にＲＧＢでの色の規定も可能である。画質パラメータとしては、この他にもコントラストや粒状性などいろいろな要因があるので、イメージと一致するパラメータを記載する。
【００２３】
図３の初期値テーブル３−２および図４の設定値テーブル３−３は、コンテンツ分類ごとに、各調整項目の初期値と現在設定値を記載したものである。たとえば調整項目「暖かい−冷たい」の場合、「暖かい」を１、「冷たい」を０とすると、０以上１以下の値が記載される。このようにコンテンツ分類毎に各調整項目の値を設定するのは、感性的あるいはイメージの形容詞は、コンテンツ分類ごとにそれぞれ適したものがあるためである。例えば、恋愛ドラマといったコンテンツ分類があったときに、通常、視聴者は、暖かい−冷たいといった感覚は生じやすいが、怖い−楽しいという感覚は生じにくいといえる。初期値テーブル３−２には、このような感覚との対応を重視して初期値をあらかじめ設定しておく。また、これらの感じ方や好みには視聴者によって好みがあることから、視聴者によって初期値から増減された値を現在設定値として設定値テーブル３−３に設定できるようにする。
【００２４】
図５の優先順位テーブル３−３は、コンテンツ分類毎に、調整項目の優先順位を定めたものである。上述したように、コンテンツ分類によって生じやすい感覚と生じにくい感覚がある。生じやすい感覚については、視聴者は好みを判断しやすいが、生じにくい感覚については、視聴者は判断しにくい。そこで、生じやすい感覚の調整項目を優先的に表示させるべく、コンテンツ分類毎に調整項目の優先順位を定めている。
【００２５】
調整項目決定部４は、データベース３（３−１〜３−４）を参照して、コンテンツ分類部２により決定されたコンテンツの分類に対応する調整項目および優先順位を決定する。
【００２６】
調整項目表示部５は、調整項目決定部４で決められた調整項目を優先順位に従って表示する。たとえば上位から所定数の調整項目を表示する。ただし、視聴者が常に表示したい項目があれば優先順位に拘わらず常に表示するようにしてもよい。あるいは、優先順位が低くて表示されなかった調整項目を「その他の項目」としてまとめておき、視聴者がこの中から表示させたい調整項目を個別に選択して表示するようにしてもよい。
【００２７】
図６に、調整項目の表示例を示す。対となる言葉を両端とする軸上に、調整項目の値が軸上の相対位置として表示されている。調整項目は、たとえば初期値とする。ただし、現在設定値が設定済みのときは現在設定値（前回の履歴）を表示するようにしてもよい。表示された調整項目について、視聴者が、図示しない入力インタフェースを介して、数値（レベル）を設定する。調整項目表示部５は、視聴者から図示しない入力インタフェースを介して数値の設定（変更）を受け付ける受付部を含む。
【００２８】
図７は、調整項目の他の表示例を示す。この例では、標準からの相対位置によって調整項目の値を表している。
【００２９】
設定値読込部６は、視聴者が設定した調整項目の数値を読み込み、画質パラメータ決定部７に送る。
【００３０】
画質パラメータ決定部（画質パラメータ算出部）７は、設定値読込部６から受け取った調整項目の数値に基づき、図２の画質パラメータテーブル３−１を参照して、画質パラメータを決定する。通常、調整項目は複数あるため、ここではそれらの相関を計算して、最終的に１組の画質パラメータを決定する。
【００３１】
一例として、“暖かい−冷たい”と、“怖い−楽しい”と２つの調整項目が表示され（図６参照）、それぞれに対し数値が設定されたことを考える。“暖かい−冷たい”の調整項目で１０の段階のうち、暖かいほうから３段階目が選択された場合は、「暖かい」と「冷たい」の画質パラメータの差の範囲で、３対７に内分する点を選択する。同様に、“怖い−楽しい”の調整項目で１０の段階のうち、怖いほうから８段階目が選択された場合は、「怖い」と「楽しい」の画質パラメータの差の範囲で８対２に内分する点を選択する。その後、“暖かい−冷たい”と“怖い−楽しい”とから得られたパラメータを平均することにより、最終的に画質パラメータを決定する。
【００３２】
また別の例として、“標準−メリハリのある”と、“標準−明るい”と２つの調整項目が表示され（図７参照）、それぞれに対し数値が設定されたことを考える。“標準−明るい”の調整項目で１０の段階のうち、メリハリのあるほうから３段階目が選択された場合は、「メリハリのある」と「標準」の画質パラメータの差の範囲で、３対７に内分する点を選択する。同様に、“標準−明るい”の調整項目で１０の段階のうち、明るいほうから８段階目が選択された場合は、「明るい」と「標準」の画質パラメータの差の範囲で８対２に内分する点を選択する。その後、“標準−メリハリのある”と“標準−明るい”とから得られたパラメータを平均することにより、最終的に画質パラメータを決定する。なお各調整項目の標準画質パラメータはたとえば図２の画質パラメータテーブル３−１に別途記憶しておく。
【００３３】
画像処理部８は、決定された画質パラメータを使用して、入力画像に対し画像処理を行い、処理を行った後の画像を画像表示部９に送る。画像表示部９は、画像処理部８から受けた画像を表示する。
【００３４】
このように、コンテンツ分類ごとに、直感的に調整できる調整項目を視聴者が調整することにより、容易に視聴者に好適な画像を表示することが可能になる。
【００３５】
なお、本実施形態では、分類はＥＰＧのサブジャンルとしたが、本発明はこれに限定されず、例えば、予め、番組情報から抽出したキーワード等を参考にして、新たにジャンル分類を作ることも可能である。
【００３６】
また、ジャンル分類がデータベース３に記載されていない場合は、当該ジャンル分類の上位に当たる大まかなジャンルを、視聴者が新たに作成することも可能である。
【００３７】
また、演算方法さえ一意に定まっていれば、各調整項目の現在設定値を画質パラメータとしておくことで、調整項目の初期値を計算することも可能である。
【００３８】
また、画質パラメータ決定については、内分点による変換でなく、それぞれ非線形の決定も可能であり、コンテンツに対する調整項目の優先度に基づく重み付けにより、画質パラメータを決定することもできる。
【００３９】
また、本実施形態では、コンテンツ分類部２により決定された分類に対する調整項目について現在設定値が設定済みであるか否かに拘わらず、調整項目決定部４、調整項目表示部５および設定値読込部６の処理を行ったが、上記調整項目について現在設定値が設定済みであるときは、これらの処理を省略して、画質パラメータ決定部７の処理に進んでもよい。また当該調整項目についてまだ現在設定値が設定されていないときは、まだ現在設定値が設定されていない旨を、メッセージ表示により、視聴者に認識させるようにしてもよい。
【００４０】
（第２実施形態）
本発明の第２実施形態による画像表示装置は、デジタルスチルカメラで撮影した静止画像、またはデジタルビデオカメラで撮影した映像を表示できる装置（たとえばテレビやＰＣ、携帯電話、画像ビューワ装置）として提供され、これらのカメラのファイル情報を用いてコンテンツ分類を行うことを特徴とする。
【００４１】
近年、デジタルスチルカメラは近年急速な普及が進んでおり、記録される画像データファイルの規格がほぼ統一されＥｘｉｆとして普及している。また用途の広がりにより、ファイルに記録できる付属情報も増えている。
【００４２】
たとえばＥｘｉｆファイルの中には、シーンタイプ（SceneType）が記載できる。また、画像データの特性に関する情報も付随することが可能であり、再生階調カーブ特性（TransferFunction）、参照白色点の色度座標値（WhitePoint）、原色の色度座標値 （PrimaryChromaticities）、参照黒色点値と参照白色点値 （ReferenceBlackWhite）といったタグも用意されている。
【００４３】
本実施形態に係る画像表示装置のブロック構成図は図１と同様である。
【００４４】
本実施形態は、データベース３のコンテンツ分類として、カメラの撮影モードに準拠するものを記録したことを特徴とする。したがって、コンテンツ分類部２では、ファイル情報を使用してコンテンツ分類を行うことができる。これ以外の処理は、第１実施形態と同様である。
【００４５】
このように、デジタルカメラ画像であっても、コンテンツ分類ごとに、直感的に調整できる調整項目を視聴者が調整することにより、容易に視聴者に好適な画像を表示することが可能になる。
【００４６】
（第３実施形態）
本発明の第３実施形態による画像表示装置は、第１実施形態や第２実施形態で示した、コンテンツ分類のための情報（ＥＰＧ情報やＥｘｉｆ情報）が得られない場合に用いて好適であり、入力画像を解析し、画像解析情報に基づきコンテンツ分類を行うことを特徴とする。
【００４７】
画像解析情報は、入力画像の画像信号に基づき計算される、ヒストグラム（たとえば輝度のヒストグラム）、平均値（たとえば輝度の平均値）、標準偏差（たとえば輝度の標準偏差）、色温度などの情報を含む。平均値の場合、たとえば第１の平均値範囲〜第ｎの平均値範囲をそれぞれ第１のコンテンツ分類〜第ｎのコンテンツ分類に対応づけ、計算された平均値がどの第１〜第ｎのどの平均値範囲に属するかで、コンテンツ分類を決定する。これはコンテンツ分類部２において実行される。第１のコンテンツ分類〜第ｎのコンテンツ分類に対しては、それぞれ調整項目が、図３および図４と同様にして関連づけられている。すなわち、図３および図４のデータベースにおける「恋愛ドラマ」「ホラー映画」「サッカー」といったコンテンツ分類を、「第１のコンテンツ分類（第１の平均値範囲）」「第２のコンテンツ分類（第２の平均値範囲）」「第３のコンテンツ分類（第３の平均値範囲）」に置換したようなデータベースが用意される。例えば、平均値の明るい画像については、全体的に明るくするという操作は行いにくいため、“明るい−暗い”の情報のうち、初期値は明るい側に設定しておくべきである。
【００４８】
このように、本実施形態によれば、入力画像を解析してコンテンツ分類を行うことにより、コンテンツ分類のための情報がなくても、視聴者に好適な画像を表示することが可能になる。
【００４９】
（第４実施形態）
本発明の第４実施形態による画像表示装置は、放送信号を受信するテレビあるいは、ワンセグ受信機能のついた携帯電話に組み込まれるものとして提供され、視聴環境情報をセンシングし、利用するものとして提供される。
【００５０】
図８に、本実施形態に係る画像表示装置のブロック構成を示す。図中の１は入力部、２はコンテンツ分類部、３はデータベース、４は調整項目決定部、５は調整項目表示部、６は設定値読込部、７は画質パラメータ決定部、８は画像処理部、９は画像表示部、１０は視聴環境情報測定部である。第１実施形態の画像表示装置に対し視聴環境情報測定部１０が新たに追加されている。なお、データベース３は第１実施形態と同様であるとする。以下、主として第１実施形態との差分について説明し、第１実施形態と同様の部分については重複する説明を省略する。
【００５１】
入力部１において画像が入力され、コンテンツ分類部２が入力画像のコンテンツの分類を決定する。
【００５２】
視聴環境情報測定部（照明情報測定部）１０では、表示装置の周囲の照明を測定できるセンサを用いて、周囲の環境情報を測定する。センサは、照度センサ、あるいは色温度センサ、さらにはＲＧＢセンサ等、様々考えられる。また、たとえ同じ照度だったとしても、視聴時間によっては視聴者が感じる感覚が違う。例えば、昼間に窓から入る光でテレビを視聴しているのと、夜間に蛍光灯の光でテレビを視聴しているのとでは、順応状況や感覚が異なってくる。
【００５３】
調整項目決定部４は、データベース３に基づき、照明情報測定部１０で得られた照明情報を利用して、コンテンツ分類部２で決定された分類に対する調整項目を決定する。前述したようにコンテンツの分類によって生じやすい感覚と生じにくい感覚があるが、さらには周囲の状況により、感じやすいことと感じにくい感覚も存在する。例えば、周囲が暗い場合には、色味の感覚は生じにくいことがわかっている。こういったことも利用して、視聴者が調整しやすいように、調整項目の優先順位（どの調整項目を表示するか）を決定する。なお、第１実施形態で用いた図５の優先順位テーブル３−４を本実施形態で用いても構わない。
【００５４】
調整項目表示部５、設定値読込部６および画質パラメータ決定部７は第１実施形態と同様である。
【００５５】
画像処理部８は、画質パラメータ決定部７で決定された画質パラメータと、視聴環境情報測定部１０で測定された照明情報を使用して画像処理を行い、処理を行った後の画像を表示部９に送る。表示部９は、画像処理部８から受けた画像を表示する。
【００５６】
このように、本実施形態によれば、周囲の照明情報も利用して、表示するべき調整項目を決定することにより、視聴者に好適な画像を表示することが可能になる。
【００５７】
なお、図２のような画質パラメータデータベースを、照明情報の値または範囲ごとに用意しておき、計測された照明情報に対応する画質パラメータテーブルを用いるようにしてもよい。この場合、画像処理部８における画像処理では照明情報を利用しなくてもよい。すなわち、照明情報を画質に反映することは、画質パラメータ決定部７で行ってもよいし、画像処理部８で行ってもよい。
【００５８】
本実施形態では、照明情報を利用して表示するべき調整項目を決定したが、照明情報を利用してコンテンツの分類を行うようにしてもよい。またコンテンツの視聴されている時間帯または視聴エリアに基づいてコンテンツの分類を行うようにしてもよい。
【００５９】
（第５実施形態）
本発明の第５実施形態による画像表示装置の用途は、特に限定されない。
【００６０】
本実施形態に係る画像表示装置のブロック構成は図１と同様である。以下、第１実施形態との差分について説明する。
【００６１】
入力部１とコンテンツ分類部２は第1実施形態と同様である。
【００６２】
データベース３は、第1実施形態のデータベース３（３−１、３−２、３−３、３−４）の他に、コンテンツの分類に応じた推奨範囲が記載された推奨範囲テーブル３−５をもつ。その一例を図９に示す。
【００６３】
調整項目決定部４では、第1実施形態と同様に、データベース３を参照して、コンテンツ分類部２により決定された分類に対する調整項目を決定する。加えて、本実施形態では、図７の推奨範囲テーブル３−５を参照して、視聴者に調整を推奨する範囲も決定する。
【００６４】
調整項目表示部５では、調整項目決定部４で決定した調整項目と調整推奨範囲を表示する。図８にその一例を示す。図中、斜線の施された部分が調整推奨範囲に相当する。視聴者は調整推奨範囲が設定されているため、容易に調整項目を設定できる。
【００６５】
設定値読込部６、画質パラメータ決定部７、画像処理部８、画像表示部９は第1実施形態と同様である。
【００６６】
なお、本実施形態では調整推奨範囲をあらかじめデータベースに登録しておくとしたが、入力画像を解析することにより調整推奨範囲を算出するようにしてもよい。具体的には、入力画像を分析して、だいたいの画素値の分布状況を調べておき、それに合わせて、推奨範囲を計算させてもよい。例えば、明るい画像は、それ以上は明るくならないので、真ん中より暗いところに推奨範囲を決定する。
【００６７】
このように、コンテンツ分類ごとに、推奨範囲が表示された調整項目を視聴者が調整することにより、視聴者に好適な画像を容易に表示することが可能になる。
【図面の簡単な説明】
【００６８】
【図１】本発明の第１実施形態に係る画像表示装置の構成図。
【図２】本発明の第１実施形態に係る画質パラメータテーブルの一例を示す図。
【図３】本発明の第１実施形態に係る初期値テーブルの一例を示す図。
【図４】本発明の第１実施形態に係る設定値テーブルの一例を示す図。
【図５】本発明の第１実施形態に係る優先順位テーブルの一例を示す図。
【図６】本発明の第１実施形態に係る調整項目の表示例を示す図。
【図７】発明の第１実施形態に係る調整項目の他の表示例を示す図。
【図８】本発明の第４実施形態に係る画像表示装置の構成図。
【図９】本発明の第５実施形態に係る推奨範囲テーブルの一例を示す図。
【図１０】本発明の第５実施形態に係る推奨範囲の表示例を示す図。
【符号の説明】
【００６９】
１  入力部
２  コンテンツ分類部
３  データベース
４  調整項目決定部
５  調整項目表示部
６  設定値読込部
７  画質パラメータ決定部
８  画像処理部
９  画像表示部
１０  視聴環境情報測定部
【図１】
0005197137.tif 000002
【図２】
0005197137.tif 000003
【図３】
0005197137.tif 000004
【図４】
0005197137.tif 000005
【図５】
0005197137.tif 000006
【図６】
0005197137.tif 000007
【図７】
0005197137.tif 000008
【図８】
0005197137.tif 000009
【図９】
0005197137.tif 000010
【図１０】
0005197137.tif 000011